(57)【要約】      （修正有）【課題】スマートフォン等を収容する携帯電話収容部をウォレット本体の外側に設けると共に簡単に携帯電話収容ポケットから携帯電話を取り出すことができると共に収容した携帯電話が不用意に脱落しない携帯電話収容部付ウォレットを提供する。【解決手段】収容部が設けられたウォレット本体１２と、このウォレット本体に着脱可能に設けられたストラップ１４と、を備えた携帯電話収容部付ウォレット１０であって、前記ウォレット本体の外側面に設けられると共に携帯電話を収容できる携帯電話収容ポケット１６と、この携帯電話収容ポケットを形成するポケット用カバーシート体と、このポケット用カバーシート体の外側面に取り付けられた第１係合体と前記携帯電話収容ポケットの内部に配設されると共に一端部が前記ポケット用カバーシート体と固定された携帯電話押出固定ベルト４４と、この携帯電話押出固定ベルトの他端部に取り付けられると共に前記第１係合体と係合可能な第２係合体とを有してなる。【選択図】図１
0003225539.tif 000002
【実用新案登録請求の範囲】
【請求項１】
収容部が設けられたウォレット本体と、このウォレット本体に着脱可能に設けられたストラップと、を備えた携帯電話収容部付ウォレットであって、
前記ウォレット本体の外側面に設けられると共に携帯電話を収容できる携帯電話収容ポケットと、この携帯電話収容ポケットを形成するポケット用カバーシート体と、このポケット用カバーシート体の外側面に取り付けられた第１係合体と、前記前記携帯電話収容ポケットの内部に配設されると共に一端部が前記ポケット用カバーシート体と固定された携帯電話押出固定ベルトと、この携帯電話押出固定ベルトの他端部に取り付けられると共に前記第１係合体と係合可能な第２係合体と、を有してなることを特徴とする携帯電話収容部付ウォレット。
【請求項２】
収容部が設けられたウォレット本体と、このウォレット本体に着脱可能に設けられたストラップと、を備えた携帯電話収容部付ウォレットであって、
前記ウォレット本体の外側面に設けられると共に携帯電話を収容できる携帯電話収容ポケットと、この携帯電話収容ポケットを形成するポケット用カバーシート体と、このポケット用カバーシート体の外側面に取り付けられた第１係合体と、前記ポケット用カバーシート体と対向するウォレット本体の外側面に取り付けられたベルトガイド体と、前記携帯電話収容ポケットの内部に配設されて一端部が前記ポケット用カバーシート体と固定されると共に中間部が前記ベルトガイド体のベルト挿通部に挿通された携帯電話押出固定ベルトと、この携帯電話押出固定ベルトの他端部に取り付けられると共に前記第１係合体と係合可能な第２係合体と、を有してなることを特徴とする携帯電話収容部付ウォレット。
【請求項３】
前記携帯電話押出固定ベルトを弾性体から成る第１ベルト部と非弾性体から成る第２ベルト部を連結して形成したことを特徴とする請求項１、請求項２のいずれか１項記載の携帯電話収容部付ウォレット。
【請求項４】
前記第１ベルト部をＪ字状にして携帯電話収容ポケットに配設したことを特徴とする請求項３記載の携帯電話収容部付ウォレット。
【請求項５】
前記ベルトガイド体を携帯電話収容ポケットの幅方向中央部に設けたことを特徴とする請求項２、請求項３、請求項４のいずれか１項記載の携帯電話収容部付ウォレット。
【考案の詳細な説明】
【技術分野】
【０００１】
本考案は、スマートフォン等の携帯電話を収容することができる携帯電話収容部をウォレット本体の外側に設けた携帯電話収容部付ウォレットに関し、詳しくは携帯電話を容易に取り出すことができると共に携帯電話収容部に収容した携帯電話が不用意に携帯電話収容部から脱落しない携帯電話収容部付ウォレットに関する。
【背景技術】
【０００２】
スマートフォン等の携帯電話は生活必需品となっており、多くの人がスマートフォン等の携帯電話を携帯している。
これらの人は会社の昼休時間に食事や買物等に一時的に外出する場合でもスマートフォン等の携帯電話を携帯している。
一般に、スマートフォン等の携帯電話は小型であるため、外出する場合は上着やズボンのポケット等に収容されて携帯される場合が多いが、スマートフォン等の携帯電話を上着やズボンのポケット等に収容するとその部分が膨らんでファッション的に好ましくない。
特に女性は男性に比べてファッションを重要視する人が多いので、スマートフォン等の携帯電話を上着やズボンのポケット等に収容するのを嫌がる傾向にある。
そこで、食事や買物に出かける場合はウォレットを携帯する場合が多いので、内部にスマートフォン等の携帯電話を収容できる収容部を内部に設けたウォレット（財布）が提案されている（特許文献１）。
【先行技術文献】
【特許文献】
【０００３】
【特許文献１】特許第５４３１６１３号公報
【考案の概要】
【考案が解決しようとする課題】
【０００４】
しかし、スマートフォン等の携帯電話を収容する収容部をウォレット本体の内部に設けていると支払いのために紙幣や硬貨等を取り出す際に収容されているスマートフォン等の携帯電話が邪魔になり、紙幣や硬貨等を取り出し難いという不具合がある。
また、このタイプのウォレットは紙幣や硬貨等を収容するウォレット本体の内部にスマートフォン等の携帯電話を収容する収容部を設けているため、スマートフォン等の携帯電話のみを取り出す場合、ウォレット本体を開閉しなければならず煩雑であると共にスマートフォン等の携帯電話を取り出し難いという不具合がある。
【０００５】
本考案は、上記事実に鑑みなされたものであり、スマートフォン等の携帯電話を収容する携帯電話収容部をウォレット本体の外側面に設けたので紙幣や硬貨等が取り出し易く、また、簡単に携帯電話収容部からスマートフォン等の携帯電話を取り出すことができると共に携帯電話収容部に収容したスマートフォン等の携帯電話が不用意に脱落しない携帯電話収容部付ウォレットを提供するものである。
【課題を解決するための手段】
【０００６】
請求項１の考案は、収容部が設けられたウォレット本体と、このウォレット本体に着脱可能に設けられたストラップと、を備えた携帯電話収容部付ウォレットであって、
前記ウォレット本体の外側面に設けられると共に携帯電話を収容できる携帯電話収容ポケットと、この携帯電話収容ポケットを形成するポケット用カバーシート体と、このポケット用カバーシート体の外側面に取り付けられた第１係合体と、前記前記携帯電話収容ポケットの内部に配設されると共に一端部が前記ポケット用カバーシート体と固定された携帯電話押出固定ベルトと、この携帯電話押出固定ベルトの他端部に取り付けられると共に前記第１係合体と係合可能な第２係合体と、を有してなることを特徴としている。
請求項２の考案は、収容部が設けられたウォレット本体と、このウォレット本体に着脱可能に設けられたストラップと、を備えた携帯電話収容部付ウォレットであって、
前記ウォレット本体の外側面に設けられると共に携帯電話を収容できる携帯電話収容ポケットと、この携帯電話収容ポケットを形成するポケット用カバーシート体と、このポケット用カバーシート体の外側面に取り付けられた第１係合体と、前記ポケット用カバーシート体と対向するウォレット本体の外側面に取り付けられたベルトガイド体と、前記携帯電話収容ポケットの内部に配設されて一端部が前記ポケット用カバーシート体と固定されると共に中間部が前記ベルトガイド体のベルト挿通部に挿通された携帯電話押出固定ベルトと、この携帯電話押出固定ベルトの他端部に取り付けられると共に前記第１係合体と係合可能な第２係合体と、を有してなることを特徴としている。
請求項３の考案は、前記携帯電話押出固定ベルトを弾性体から成る第１ベルト部と非弾性体から成る第２ベルト部を連結して形成したことを特徴としている。
請求項４の考案は、前記第１ベルト部をＪ字状にして携帯電話収容ポケットに配設したことを特徴としている。
請求項５の考案は、前記ベルトガイド体を携帯電話収容ポケットの幅方向中央部に設けたことを特徴としている。
【考案の効果】
【０００７】
本考案の携帯電話収容部付ウォレットは、ウォレット本体の内部に携帯電話収容ポケットは設けられていないので、ウォレット本体から紙幣や硬貨等を取り出す場合は携帯電話が邪魔にならずに紙幣や硬貨等を取り出すことができるという優れた効果を有する。
また、本考案の携帯電話収容部付ウォレットは、携帯電話だけを取り出す場合はウォレット本体を開閉する必要が無いので簡単に携帯電話だけを取り出すことができるという優れた効果を有する。
また、本考案の携帯電話収容部付ウォレットは、簡単に携帯電話収容ポケットから簡単に携帯電話を取り出すことができるにも拘わらず携帯電話収容ポケットから携帯電話が不用意に脱落するのを防止できるという優れた効果を有する。
さらに、本考案の携帯電話収容部付ウォレットは、首や肩に掛けて使用することができるという優れた効果を有する。
【図面の簡単な説明】
【０００８】
【図１】実施例の携帯電話収容部付ウォレットの全体正面図である。
【図２】実施例の携帯電話収容部付ウォレットのウォレット本体の正面図である。
【図３】実施例の携帯電話収容部付ウォレットのウォレット本体の背面図である。
【図４】実施例の携帯電話収容部付ウォレットのウォレット本体を開けた状態の斜視図である。
【図５】実施例の携帯電話収容部付ウォレットの携帯電話収容部にスマートフォンを収容した正面図である。
【図６】実施例の携帯電話収容部付ウォレットの携帯電話収容部からスマートフォンを押し出した状態の正面図である。
【図７】実施例の携帯電話収容部付ウォレットのポケット用カバーシート体を取り除いた状態の正面図である。
【図８】実施例の携帯電話収容部付ウォレットの外側収容部を開けた状態を示す斜視図である。
【図９】実施例の携帯電話収容部付ウォレットの携帯電話収容部にスマートフォンを収容した状態の概略縦断面図である。
【図１０】実施例の携帯電話収容部付ウォレットの携帯電話収容部からスマートフォンを押し出した状態の概略縦断面図である。
【考案を実施するための形態】
【０００９】
考案を実施するために最良の形態の例として以下のような実施例を示す。
【００１０】
図１〜図１０には本考案に係る携帯電話収容部付ウォレットの一実施例が示されている。なお、この実施例では携帯電話としてスマートフォン１を使用した場合を例にして説明する。
【００１１】
図１に示されるように、この携帯電話収容部付ウォレット１０は、収容部が設けられたウォレット本体１２と、このウォレット本体１２に着脱可能に設けられたストラップ１４と、を備えている。
【００１２】
図２に示されるように前記ウォレット本体１２の正面外側面には携帯電話としてのスマートフォン１を収容できる携帯電話収容ポケット１６が設けられている。
【００１３】
前記ウォレット本体１２は、ウォレット本体折曲部１８を介して第１ウォレット本体部２０と第２ウォレット本体部２２が連続形成されている。
【００１４】
図２及び図３に示されるように、第１ウォレット本体部２０と第２ウォレット本体部２２は対向して設けられており、第１ウォレット本体部２０と第２ウォレット本体部２２の２辺にはファスナー２４が取り付けられている。このファスナー２４のファスナースライダー２６をスライドさせることにより、第１ウォレット本体部２０と第２ウォレット本体部２２を開閉して前記ウォレット本体１２を開閉できるようになっている。
【００１５】
図４に示されるように、前記ウォレット本体１２の内部には紙幣や硬貨等を収容できるウォレット本体収容部２８が形成されている。
また、前記第１ウォレット本体部２０の内側面にはレシート等を収容できるレシート収容部３０が形成さ、前記第２ウォレット本体部２２の内側面にはカードを収容できるカード収容部３２が複数形成されている。
【００１６】
図２に示されるように、前記携帯電話収容ポケット１６を形成するポケット用カバーシート体３４の３辺は前記第１ウォレット本体部２０の外側面と縫合されると共に一辺は開放されてポケット開口部３６が形成されている。これにより前記携帯電話収容ポケット１６はポケット状に形成されている。
前記ポケット用カバーシート体３４の外側面には第１係合体としての第１ボタン３８（図６参照）が取り付けられている。
【００１７】
図７に示されるように、前記第１ウォレット本体部２０の外側面にはベルトガイド体４０が取り付けられている。このベルトガイド体４０は携帯電話収容ポケット１６の横方向（図７左右方向）中央部に位置するように設けられている。また、ベルトガイド体４０の端部４０Ａはそれぞれ第１ウォレット本体部２０と縫合され、これによりベルトガイド体４０にはベルト挿通部４２が縦方向（図７上下方向）に向かって貫通形成されている。
【００１８】
図９及び図１０に示されるように、前記携帯電話収容ポケット１６には帯状の携帯電話押出固定ベルト４４が収容されている。
この携帯電話押出固定ベルト４４の一端部には帯状の第１ベルト部４６が配設され、携帯電話押出固定ベルト４４の他端部には帯状の第２ベルト部４８が配設され、第１ベルト部４６と第２ベルト部４８は連結されている。
また、前記第１ベルト部４６はゴム等の弾性体で形成され、前記第２ベルト部４８は皮革等で形成されている。
【００１９】
前記第１ベルト部４６の先端は前記ポケット用カバーシート体３４の内側面と縫合されて固定されている。これにより、第１ベルト部４６はＪ字状になって配設されている。
また、前記第２ベルト部４８の中間部は前記ベルト挿通部４２に挿通されている。
【００２０】
前記第２ベルト部４８の中間部を前記ベルト挿通部４２に挿通させることにより、前記携帯電話押出固定ベルト４４が常に前記携帯電話収容ポケット１６の幅方向中央部に位置するようにしている。
【００２１】
前記携帯電話押出固定ベルト４４の後端部には第２係合体としての第２ボタン５０が取り付けられている。この第２ボタン５０は前記第１ボタン３８と係合可能になっている。
【００２２】
従って、第１ボタン３８と第２ボタン５０を係合すると携帯電話押出固定ベルト４４が前記携帯電話収容ポケット１６のポケット開口部３６の一部を塞ぎ、第１ボタン３８と第２ボタン５０の係合を解除すると前記携帯電話収容ポケット１６のポケット開口部３６が開くようになっている。
【００２３】
図３及び図８に示されるように、前記第２ウォレット本体部２２の外側にはカード２等を収容できる外側収容部５２が形成されている。この外側収容部５２のＬ字状スリットの縁部にはファスナー５４が設けられ、ファスナー５４のファスナースライダー５６をスライドさせることにより、前記外側収容部５２を開閉できるようになっている。
【００２４】
図２及び図３に示されるように、前記ウォレット本体１２の一側部には係止リング６０，６０が取り付けられている。
【００２５】
従って、図１に示されるように、第１係止リング６０，６０に前記ストラップ１４に取り付けられた係止具６２，６２を係止することにより携帯電話収容部付ウォレット１０を首や肩にかけて使用することができる。
【００２６】
次に、実施例の携帯電話収容部付ウォレット１０の作用について説明する。
携帯電話収容部付ウォレット１０にはストラップ１４が設けられているので、ウォレット本体１２を首や肩に掛けて使用することができる。
携帯電話収容部付ウォレット１０の携帯電話収容ポケット１６にスマートフォン１を収容する場合は第１ボタン３８と第２ボタン５０の係合を解除して携帯電話収容ポケット１６のポケット開口部３６を開けてポケット開口部３６からスマートフォン１を携帯電話収容ポケット１６に差し込む。
【００２７】
スマートフォン１を携帯電話収容ポケット１６に差し込んだら第１ボタン３８と第２ボタン５０を係合して携帯電話押出固定ベルト４４でスマートフォン１を固定する。
このため携帯電話収容部付ウォレット１０を逆さにした状態で携帯してもスマートフォン１は携帯電話収容ポケット１６から不用意に脱落しない。
【００２８】
また、携帯電話収容部付ウォレット１０の携帯電話収容ポケット１６に収容されているスマートフォン１はウォレット本体１２の外側に収容されると共に一部が露出して収容されているのでスマートフォン１の着信音が聞き難くなることを防ぐことができる。
【００２９】
携帯電話収容ポケット１６にスマートフォン１が収容された状態で携帯電話収容部付ウォレット１０のウォレット本体１２から紙幣や硬貨等を取り出す場合はファスナースライダー２６をスライドさせてウォレット本体１２を開けてウォレット本体１２から紙幣や硬貨を取り出す。
【００３０】
この場合、前記ウォレット本体１２の外側に携帯電話収容ポケット１６が設けられているので、図４に示されるようにスマートフォン１が邪魔になることなくウォレット本体収容部２８から紙幣や硬貨を、レシート収容部３０からレシートを、カード収容部３２からカードを、それぞれ容易に取り出すことができる。
【００３１】
携帯電話収容部付ウォレット１０の携帯電話収容ポケット１６に収容されているスマートフォン１を取り出す場合は第１ボタン３８と第２ボタン５０の係合を解除して携帯電話押出固定ベルト４４の第２ベルト部４８を図１０矢印Ａ方向に引っ張ると第１ベルト部４６の先端は前記ポケット用カバーシート体３４の内側面と縫合されているので第１ベルト部４６がスマートフォン１を図１０矢印Ａ方向に押し出す。
【００３２】
これにより、図６に示されるように、スマートフォン１がポケット開口部３６から少し飛び出す状態になるのでスマートフォン１が摘まみ易くなり、容易にスマートフォン１を携帯電話収容ポケット１６から取り出すことができる。
【００３３】
また、前記携帯電話押出固定ベルト４４の第１ベルト部４６はゴムで形成されているので、第２ベルト部４８を摘まんでいる指を離すと第１ベルト部４６が収縮して携帯電話押出固定ベルト４４は元の位置に戻るようになっている。
【００３４】
なお、ウォレット本体１２とストラップ１４は着脱可能であるので前記ストラップ１４をウォレット本体１２から取り外してウォレット本体１２のみをバッグ等に収容したり、あるいはウォレット本体１２のみを手に持って携帯してもよい。
【００３５】
なお、実施例では第１係合体及び第２係合体をボタンで用いた場合を示したが、係合体はボタンに限定されるものでなく、例えばマジックテープ（登録商標）やホック等でもよいことは勿論である。
また、実施例では携帯電話としてスマートフォン１を使用した場合を示したが、スマートフォン１以外の携帯電話を使用してもよいことは勿論である。
なお、実施例ではウォレット本体収容部２８に紙幣や硬貨等を収容したが、ウォレット本体収容部２８には紙幣や硬貨以外の物を収容してもよいことは勿論である。
【産業上の利用可能性】
【００３６】
本考案の携帯電話収容部付ウォレットは、首や肩に掛けたりして用いるポーチとしても使用することができる。
【符号の説明】
【００３７】
１０    携帯電話収容部付ウォレット
１２    ウォレット本体
１４    ストラップ
１６    携帯電話収容ポケット
１８    ウォレット本体折曲部
２０    第１ウォレット本体部
２２    第２ウォレット本体部
２４    ファスナー
２６    ファスナースライダー
２８    ウォレット本体収容部
３０    レシート収容部
３２    カード収容部
３４    ポケット用カバーシート体
３６    ポケット開口部
３８    第１ボタン
４０    ベルトガイド体
４２    ベルト挿通部
４４    携帯電話押出固定ベルト
４６    第１ベルト部
４８    第２ベルト部
５０    第２ボタン
５２    外側収容部
６０    係止リング
【図１】
0003225539.tif 000003
【図２】
0003225539.tif 000004
【図３】
0003225539.tif 000005
【図４】
0003225539.tif 000006
【図５】
0003225539.tif 000007
【図６】
0003225539.tif 000008
【図７】
0003225539.tif 000009
【図８】
0003225539.tif 000010
【図９】
0003225539.tif 000011
【図１０】
0003225539.tif 000012
【手続補正書】
【提出日】令和2年1月9日(2020.1.9)
【手続補正１】
【補正対象書類名】実用新案登録請求の範囲
【補正対象項目名】請求項１
【補正方法】変更
【補正の内容】
【請求項１】
収容部が設けられたウォレット本体と、このウォレット本体に着脱可能に設けられたストラップと、を備えた携帯電話収容部付ウォレットであって、
前記ウォレット本体の外側面に設けられると共に携帯電話を収容できる携帯電話収容ポケットと、この携帯電話収容ポケットを形成するポケット用カバーシート体と、このポケット用カバーシート体の外側面に取り付けられた第１係合体と、前記携帯電話収容ポケットの内部に配設されると共に一端部が前記ポケット用カバーシート体と固定された携帯電話押出固定ベルトと、この携帯電話押出固定ベルトの他端部に取り付けられると共に前記第１係合体と係合可能な第２係合体と、を有してなることを特徴とする携帯電話収容部付ウォレット。
【手続補正２】
【補正対象書類名】実用新案登録請求の範囲
【補正対象項目名】請求項５
【補正方法】変更
【補正の内容】
【請求項５】
前記ベルトガイド体を携帯電話収容ポケットの幅方向中央部に設けたことを特徴とする請求項２記載の携帯電話収容部付ウォレット。